(57)【要約】赤外線発光部が配置されたランプ管の内部に、フィルター液を充填し、赤外線発光部で発生する長波長帯域の光を取り除くことによって、人間の深部体温を効果的に上昇させ、各種の疾患及び痛みを効果的に治療し予防することができる赤外線ランプ管に関する。管体から構成されて内部に空間部を形成したケースと、前記ケースの内側に複数のハロゲンランプが間隔を置いて、長手方向に配置される赤外線発光部と、前記ケースの両側にそれぞれ挟まれる栓とを、含み、前記ケースの空間部にフィルター液が満たされたことを特徴とする。【選択図】図１
2017523893.tif 000002
【特許請求の範囲】
【請求項１】
管体から構成されて、内部に空間部（１１０）を形成したケース（１００）と、
前記ケース（１００）の内側に、複数のハロゲンランプが間隔を置いて、長手方向に配置される赤外線発光部（２００）と、
前記ケース（１００）の両側にそれぞれ挟まれる栓（３００）とを備え、
前記ケース（１００）の空間部（１１０）にフィルター液が満たされ、前記ケース（１００）の一側に挟まれる栓（３００）に、フィルター液の流入口（３１０）が形成され、他側には、フィルター液流出口（３２０）が形成される
ことを特徴とする赤外線ランプ管。
【請求項２】
前記ケース（１００）は、ポリカーボネート系の合成樹脂剤製である
請求項１に記載の赤外線ランプ管。
【請求項３】
前記ケース（１００）の内側に反射板（４００）が設けられて、赤外線発光部が反射板（４００）の上面に配置される
請求項１に記載の赤外線ランプ管。
【請求項４】
前記栓（３００）の流出部に、ケース（１００）の内側方向に空気排出引導板（５００）を有し、栓（３００）と一体的に結合される
請求項１に記載の赤外線ランプ管。
【請求項５】
前記反射板（４００）は、ケース（１００）の内側面と離隔するように設けられて、絶縁体充填部（６００）が形成される
請求項３に記載の赤外線ランプ管。
【発明の詳細な説明】
【技術分野】
【０００１】
本発明は、赤外線ランプ管に関するもので、赤外線発光部が配置されたランプ管の内部にフィルター液を充填し、赤外線発光部で発生する長波長帯域の光を取り除くことによって、人間の深部体温を効果的に上昇させ、各種の疾患及び痛みを効果的に治療し予防することができる赤外線ランプ管に関するものである。。
【背景技術】
【０００２】
赤外線は、人体の皮膚の中の４０ｍｍの深部まで浸透し、人体の細胞を構成する分子と共鳴、振動を起こし、分子運動を促進させることによって、血管を拡張させ、血液循環を円滑にさせることにより、自体で熱を出すようにし、人体の深部体温の上昇、新陳代謝の強化、細胞組織の活性化、老廃物の排泄の促進が行われ、疲労を癒してくれる効果を持つ。
【０００３】
上述した人体の深部体温は、最近になって、癌細胞の増殖及び免疫体系の活性化と関連して、深部体温が上昇するほど癌細胞の増殖が低下され、免疫体系が活性化される比例関係が知られており、具体的に、深部体温が正常体温より１℃増加すると、免疫体系は５〜６倍活性化され、正常体温より１℃下がると、免疫体系の活動性は約４０％減少することと知られている。従って、深部体温を増加させると、癌細胞の増殖を防止するだけではなく、免疫体系を活性化して、究極的に癌細胞を減少させることができる。
【０００４】
一般的に、赤外線ランプは、赤外線の長波長帯域の光によって人体の皮膚に直接高温の熱が伝達されるので、温熱治療用に適してなく、調理装置やヒーティング装置及び殺菌装置などに制限されて使われきたし、一部病院で、短時間だけ使うようにする深部体温上昇用ではない物理治療用として使われていたが、長波長帯域の光と赤外線ランプの強い熱によって、患者が火傷を負う事例が増えている。
【０００５】
このような赤外線ランプに関連する先行技術を調べてみると次のようである。
【０００６】
特許文献１（赤外線電球）には、真空状態のバルブの頚部に、ソケットベースを接合し、そのソケットベースとバルブ内のモリブデンサポーターに支持されたフィラメントを、一対の導入線とで接続された赤外線電球に、ガイドスロットと、固定スロットと、ガイド突起と、ストッパーと、狭窄ブロックとから構成された構成が掲示されている。
【０００７】
特許文献２（赤外線ランプ）には、上端、下端が、平行になる形態から構成される石英管と、前記石英管の内部に設けられて前記石英管の両端に連結されている外部端子によって、電流が印加されて発熱しながら熱を発生させる炭素繊維電極と、前記石英管の上端に形成されるコーティング層とから構成されている構成が開示されている。
【０００８】
特許文献３（赤外線ランプ）には、ランプの一側表面に、赤外線放射の指向性を提供する反射層を一体的にコーティングし、反射層のない部分は、既存のようにシリカの赤外線透過のコーティング層を一体的に維持し、前記反射層は、金から構成された構成が掲示されている。
【０００９】
特許文献４（赤外線シールドビームランプ）には、フィラメントを真空電球内に設けて、反射鏡で光を反射させるシールドビームランプに、赤外線発散フィラメントを固定する透明の絶縁ホルダーに固定される固定バーと、固定バーに固定されてフィラメントの光を反射鏡で反射させる補助反射板とを含んで構成された構成が掲示されている。
【００１０】
しかし、このような先行技術は、一般的な赤外線ランプ方式で構成され、ただ赤外線ランプの光を反射板によって、効果的に照射されるための多様な方法のみ提示されただけで、赤外線ランプの長波長帯域の光を取り除いてくれるとか、除去する構成は、全然出ていない。そのため、前記先行技術に掲示された赤外線ランプを、人間に直接照射する温熱治療用で使われる場合、赤外線が照射される皮膚表面の温度のみ上昇するだけで、深部体温の上昇に対する効果は、全然期待することができないし、照射部位に火傷を負うとか、高温による不快感を与えるなどの問題点を生じる。
【先行技術文献】
【特許文献】
【００１１】
【特許文献１】韓国実用新案第４２１８２８号
【特許文献２】韓国特許第１０５１８３８号
【特許文献３】韓国特許第７８５５５１号
【特許文献４】韓国実用新案第３１７２２９号
【発明の概要】
【発明が解決しようとする課題】
【００１２】
本発明は、このような問題点を解決するために提出されたものであって、赤外線ランプ管のケース内部に、多数配置されて形成された赤外線発光部を用いて、治療対象に照射し、前記ケース内部に供給されたフィルター液で、治療対象の皮膚の周りの体温を上昇させる長波長帯域の光を取り除くことにより、治療対象の深部体温を集中的に上昇させることを目的とする。
【００１３】
また、赤外線発光部で発散される熱が、治療対象に直接加えられることを防止して、治療対象の皮膚の黒化とか、火傷を負う問題を防止しようとすることに目的がある。
【００１４】
同時に、ランプ管のケース内部に、液体状態であるフィルター液を循環させることにより、赤外線発光部を効果的に冷却させることができる赤外線ランプ管を提供することに目的がある。
【課題を解決するための手段】
【００１５】
本発明は、管体から構成されて、内部に空間部を形成したケースと、前記ケースの内側に、複数のハロゲンランプが間隔を置いて、長手方向に配置される赤外線発光部と、前記ケースの両側にそれぞれ挟まれる栓とを含み、前記ケースの空間部にフィルター液が満たされることを特徴とする。
【００１６】
また、前記ケースは、ポリカーボネート系の合成樹脂剤から構成されることを特徴とする。
【００１７】
また、前記ケースの一側に挟まれる栓に、フィルター液の流入口が形成され、他側には、フィルター液の流出口が形成されることを特徴とする。
【００１８】
また、前記ケースの内側に、反射板が設けられて、赤外線発光部が反射板の上面に配置されることを特徴とする。
【００１９】
また、前記栓の流出部に、ケースの内側方向に空気排出引導板をさらに含んで、栓と一体的に結合されることを特徴とする。
【００２０】
また、前記反射板は、ケースの内側面と離隔するように設けられて、絶縁体充填部が形成されることを特徴とする。
【発明の効果】
【００２１】
本発明は、ランプ管のケース内部に、多数配置されて形成された赤外線発光部を用いて、治療対象に照射し、治療対象の皮膚の周りの体温を上昇させる長波長帯域の光を取り除くことにより、治療対象の深部体温を集中的に上昇させる効果を持つ。
【００２２】
また、赤外線発光部で発散される熱が、治療対象に直接加えられることを防止して、治療対象の皮膚の黒化とか、火傷を負う問題を防止して、ランプ管のケースの内部に液体状態であるフィルター液を循環させることにより、赤外線発光部を効果的に冷却させることができる利点がある。
【００２３】
また、ランプ管に挟まれて結合される栓の流出部に、空気排出引導板を栓と一体的に結合し、フィルター液の供給時、排出されなくて残っている気泡を効果的に排出して、フィルター液の使用効果を高めることができる。
【図面の簡単な説明】
【００２４】
【図１】本発明に係る赤外線ランプ管を示す斜視図
【図２】本発明に係る赤外線ランプ管の構成を示す分解斜視図
【図３】本発明に係る赤外線ランプ管の構成を示す全断面図
【図４】本発明に係る赤外線ランプ管の構成を示す側断面図
【図５】本発明の反射板を離隔設置して絶縁体充填部を形成した状態を示す断面図
【図６】本発明の流出部側の栓に空気排出引導板を一体的に結合した状態を示す断面図
【図７】本発明の流出部側の栓に空気排出引導板の結合状態を示す側断面図
【発明を実施するための形態】
【００２５】
以下、本発明の好ましい実施例を添付された図面を参照して、詳しく説明すれば次のよ
うである。そして、発明を説明する時、関わる公知機能又は構成に対する具体的な説明が、本発明の要旨を不必要に曇ることができると判断される場合、その詳細な説明を省略する。
【００２６】
本発明は、サウナ室の内部の壁体、坐式椅子及びベッド型温熱治療器などに適用されて設置される赤外線ランプ管として、その形は、多様な形として使われることができるし、それに当たるように、ランプ管の設置方向も、垂直、水平、対角線方向に設置されることで、本発明では、このような設置構成及び構造を限定しない。
【００２７】
本発明の赤外線ランプ管は、図１乃至３に示すように、管体から構成されて内部に空間部１１０を形成したケース１００と、前記ケース１００の内側に複数のハロゲンランプが間隔を置いて、長手方向に配置される赤外線発光部２００と、前記ケース１００の両端にそれぞれ挟まれる栓３００と、前記ケース１００の空間部１１０にフィルター液が満たされたことを特徴とする。
【００２８】
本発明のケース１００は、内部に空間部１１０を形成した管形態から構成されていて、赤外線発光部２００の光が透過されることができるようにしたポリカーボネート（Ｐｏｌｙｃａｒｂｏｎａｔｅ：ＰＣ）系の合成樹脂材質から構成されて、このようなポリカーボネートは、ガラスのように透明な形を取るが、一般のガラスより衝撃強度が優秀で、熱によく耐えることができる材質である。
【００２９】
前記ケース１００の内部の空間部１１０には、フィルター液として水（ｗａｔｅｒ）が満たされて、このように満たされたフィルター液によって、赤外線発光部２００から放射される光が持つ３７５乃至５０００ｎｍの固有波長の中での１３００ｎｍ以上の帯域は、大部分フィルター液に吸収される。従って、治療対象の体には、１３００ｎｍ以下の帯域の光線のみ照射される。フィルター液のこのような光学特性は、もう物理学的に立証された公理であり、１１００ｎｍ以上の波長帯域が、皮膚透過率が非常に低いのは、もう光線を利用した多様な医療機器に適用されている医学的な発見である。従って、１１００ｎｍ〜５０００ｎｍ帯域は、肌の外皮に大部分吸収されて、深部体温の上昇に対する目的の達成には、非常に非効率的であり、深部体温を医学的有意性があるレベルまで上昇させることにおいて、照射する光線に、１１００ｎｍ〜５０００ｎｍ帯域が過度に含まれる場合、皮膚火傷のような副作用をもたらすことができる等の医学的活用性が良くないのは、医学系で広く知られている事実である。
【００３０】
前記ケース１００は、満たされたフィルター液が漏出されないように、両側の開放された部分に、それぞれ栓３００を結合して水密の状態にならなければならないし、このような水密の効果を高めるために、栓３００の内側にパッキング部材がさらに含まれて結合されることができる。
【００３１】
同時に、本発明の栓３００は、ケース１００の両側に挟まれて、一側には、フィルター液流入口３１０が形成されて、他側には、フィルター液流出口３２０が形成されて、フィルター液が循環されることができるようにし、前記フィルター液の流入口３１０、出入口３２０は、別途の循環管路３３０によって連結された循環ポンプ（図示せず）を介して、フィルター液が、流入と排出の循環過程が持続的に形成されることにより、赤外線発光部２００で発生する熱を効果的に冷却させることができるのである。このように、フィルター液の冷却循環により、人体に赤外線を近接されるように照射しても、高温による不快感が生じない効果を持つ。
【００３２】
本発明の赤外線発光部２００は、近赤外線の放出が容易い電球形態のハロゲンランプが、複数に備えられて、ケース１００の内側の長手方向に間隔を置いて配置され、前記赤外線発光部２００が配置されるケース１００の内側には、反射板４００が設けられて、赤外線発光部２００が反射板４００の上面にあるようにして、赤外線を効果的に照射することができるようにする。
【００３３】
前記反射板４００は、内側面に密着された状態で設置されることができるが、図５に示すように、ケース１００の内側面と一定間隔で離隔するように設けられる場合、絶縁物質が満たされることができるようにした絶縁体充填部６００が形成される。前記のように、絶縁体充填部６００を形成し、赤外線発光部２００に連結される電源供給線を設けることによって、電気の通じる部分が、フィルター液から完全に保護されることができるし、また、よりコンパクトな構造になるとともに、水密効果を高めることができるようになるのである。
【００３４】
本発明の赤外線ランプ管は、垂直に立てられた形態ではない横方向や対角線方向に設置される場合、フィルター液の流入口３１０へ流入されるフィルター液が、ケース１００の空間部１１０に、すべて満たされなく気泡が形成され、このような気泡は、空間部１１０のフィルター液が流出される部分の上部側にとどまっている状態になって、フィルター液を持続的に注入して循環過程を経たとしても、気泡が排出されないことで、フィルター液の効果が低下されることができるが、
【００３５】
図６に示すように、このような気泡の排出を効果的にするために、栓３００の流出部に、ケース１００の内側方向に空気排出引導板５００が、栓３００と一体的に結合されて設置される。前記空気排出引導板５００は、ケース１００の空間部１１０の断面の形態と同一の形態で形成し、小さな大きさで形成して空間部１１０と小さな透き間が生ずるように形成しており、このような空気排出引導板５００によって、流出部に排出されるフィルター液は、栓３００の中央に形成されたフィルター液の流出口３２０へすぐ抜けないで、空気排出引導板５００によって細くなった透き間へ、フィルター液が早い流速で上部にある気泡を押し出しながら一緒に抜けるようになることである。
【００３６】
このように形成された本発明は、ケース１００の内部に配置された赤外線発光部２００とフィルター液によって、フィルタリングされた光が放射されて、治療対象に照射され、この時、フィルタリングされた光は、皮膚の黒化現象を起こす波長が除去されたまま、治療対象に照射されて深部体温を上昇させ、それによって癌細胞の増殖を阻害し、免疫体系を活性化させる効果を得るようになる。
【００３７】
以上で本発明は、前記実施例を参考して説明したが、本発明の技術思想の範囲内で、多様に変更することが可能である。
【図１】
2017523893.tif 000003
【図２】
2017523893.tif 000004
【図３】
2017523893.tif 000005
【図４】
2017523893.tif 000006
【図５】
2017523893.tif 000007
【図６】
2017523893.tif 000008
【図７】
2017523893.tif 000009
【国際調査報告】
2017523893.tif 000010
2017523893.tif 000011
2017523893.tif 000012
2017523893.tif 000013